(57)【特許請求の範囲】
【請求項１】
ポンピング手段が備えられているアンプルの交換使用が可能なアンプル直結型美容機器であって、
脱着部の内部に形成されたアンプル装着部を含む胴体と、
前記脱着部に対して脱着可能に前記アンプルのポンピング手段を覆いながら結合され、皮膚に接触する接触部、及び前記接触部を貫通して設けられた吐出孔を備えたヘッドとを含んでなり、
前記ポンピング手段のノズル部が前記吐出孔に差し込まれて直結され、
前記ノズル部は、垂直方向に所定の長さを有するように直線状に設けられた管体部を含み、
前記吐出孔は、前記管体部に対応して、垂直方向に貫通して設けられた長孔を含んでなり、
前記ポンピング手段の押圧部を押圧したとき、前記管体部に設けられた排出口が前記長孔の下部領域に位置した状態で化粧品が前記吐出孔から吐出され、
前記押圧部の押圧を解除すると、前記排出口が前記長孔内にのみ位置するようにスライド移動し、押圧部の上昇により排出口が長孔の上部領域に上昇復帰するにつれて、管体部の先端部が吐出孔に残存する化粧品を外部へ押して吐出させることにより、
前記ノズル部から前記ヘッドの外部へ化粧品が直ちに排出され、前記吐出孔に化粧品が残存しないことを特徴とする、アンプル直結型美容機器。
【請求項２】
前記ヘッドは、ヘッドの内部に設けられた前記ポンピング手段の押圧部を使用者が押圧して化粧水を吐出することができるように、一側面が開口して設けられた露出部を含むことを特徴とする、請求項１に記載のアンプル直結型美容機器。
【請求項３】
前記ヘッドは、前記長孔に備えられ、前記管体部のスライド移動を案内するガイドを含むことを特徴とする、請求項１又は請求項２に記載のアンプル直結型美容機器。
【発明の詳細な説明】
【技術分野】
【０００１】
本発明は、ポンピング手段が備えられているアンプルの交換使用が可能なアンプル直結型美容機器に係る。特に、ヘッドの接触部に吐出孔を設け、ポンピング手段のノズル部が前記吐出孔に差し込まれて直結されるようにすることにより、アンプルの使用後に内容物（化粧品）が美容機器の管路上に残らないため、美容機器における残存内容物の汚染または変質を防止してより衛生的な使用が可能で、製作及び使用が便利であるアンプル直結型美容機器に関する。
【背景技術】
【０００２】
皮膚の新陳代謝を行う過程上で絶え間なく老廃物を生成、排出するので、これを適切に除去して清潔な状態を維持しようとする皮膚美容法への関心が高まっている。このため、最近では、皮膚に指圧、振動、電気刺激などを発生させることで、マッサージを用いた皮膚の血行促進及び毛穴拡張によって老廃物の分離を促進するとともに、皮膚に有用な成分を含有する各種化粧水（液相または粘液質）の皮膚吸収効果を増大させて、皮膚の健康を増進させる様々な種類の美容機器が発売されている。
【０００３】
代表的に、電気刺激美容機器とは、皮膚に電気刺激（陽イオン電流または陰イオン電流）を発生させるイオン発生ＩＣを利用するもので、胴体電極とヘッド電極の皮膚接触を介して一つの閉回路を形成して陽イオンまたは陰イオンを選択的に放出させ、電気刺激の極性切り替えに応じて、様々な化粧水を肌の奥まで浸透させて吸収させるか、又は皮膚に残存している老廃物を分離・除去するために使用される。
【０００４】
これをより具体的に説明すると、使用者のモード操作に応じて、アルカリ反応を起こす陰イオン電流がヘッドを介して放出される場合には、皮脂を分解して皮膚に乾燥効果をもたらし、細胞内の角質を粉砕して皮膚及び組織を軟化させ、毛穴を拡張させて化粧水が肌の奥まで吸収されるようし、血管を拡張させて血液の循環が良くなるようにすることにより、皮膚への栄養及び酸素の供給を促進させる。
逆に、酸反応を起こす陽イオン電流がヘッドを介して放出される場合には、皮膚の状態を良くしながら、皮膚の殺菌成分を増加させて感染に対する抵抗力を増進させ、毛穴及び血管を閉じて皮膚にハリ及び弾力を持たせ、血管内の影響及び酸素のバランスをとる。
【０００５】
このような美容機器は、韓国実用新案公開第２０−２０１３−０００４７２２号公報（特許文献１）に開示されているように、胴体の一側に備えられた塗布手段を用いて使用者が皮膚に所望の化粧品を塗布した状態で美容機器を駆動し、胴体の他側に備えられたマッサージ手段を用いて皮膚をマッサージしながら使用することも可能であるが、
このように化粧品の塗布とマッサージを二元化して使用すると、使用が不便であるだけでなく、マッサージ機能を用いた化粧品の皮膚吸収効果が低下するという問題点がある。
【０００６】
かかる問題点を解決するために、韓国実用新案公開第２０−２０１１−０００９９３４号公報（特許文献２、以下、「従来技術」という。）に開示されているように、皮膚に接触する接触部に吐出孔を設け、胴体の内部に化粧品入りのポンプ容器を装着して、マッサージ中に化粧品の吐出が同時に行われるようにする技術が開発されている。
【０００７】
ところが、前記従来技術は、ヘッドの接触部に設けられた吐出孔とポンプ容器との間を供給管で連結することにより、ポンピングの後に吐出される化粧品の一部が吐出孔および／または供給管に残存することになり、美容機器の使用後にすぐに洗浄を行わなければ、残存化粧品が汚染または変質しやすいため、使用が面倒であるだけでなく、吐出孔及び供給管の洗浄が難しいという問題点がある。
【０００８】
すなわち、ポンプ容器からポンピングされて排出される化粧品が美容機器の内部に残存せずにすべて皮膚に吐き出されれば、美容機器の繰り返し使用の際に汚染または変質した化粧品が皮膚に塗布されることを防止することができるが、前記従来技術は、ポンプ容器の化粧品排出圧力が供給管と吐出孔まで作用しないため、供給管及び吐出孔に化粧品が必然的に残存することになり、供給管の構造により綺麗な洗浄が難しいため、残存化粧品の汚染または変質などにより皮膚損傷を誘発する危険性が大きいという問題点がある。
【先行技術文献】
【特許文献】
【０００９】
【特許文献１】韓国実用新案公開第２０−２０１３−０００４７２２号公報
【特許文献２】韓国実用新案公開第２０−２０１１−０００９９３４号公報
【発明の概要】
【発明が解決しようとする課題】
【００１０】
そこで、本発明は、上述したような問題点を解決するために案出されたもので、その目的は、ポンピング手段が備えられているアンプルの交換使用が可能でありながら、マッサージ中に化粧品の吐出を使用者が希望するときに同時に実施して化粧品の皮膚吸収効果を向上させ、使用後にアンプルから排出された化粧品が美容機器に残存することを防止して、残存化粧品の汚染または変質による皮膚の損傷が誘発されないように、ヘッドの接触部を貫通して設けられた吐出孔に、ポンピング手段のノズル部が差し込まれて直結されているアンプル直結型美容機器を提供することにある。
【００１１】
また、本発明の他の目的は、ヘッドの内部に装着されるアンプルのポンピング手段を使用者が簡単に作動させて化粧品の吐出が行われるように、ヘッドの一側面を開口して露出部を設けて、使用者がポンピング手段の押圧部を押圧して化粧品を吐出させるアンプル直結型美容機器を提供することにある。
【００１２】
また、本発明の別の目的は、ヘッドの洗浄が容易で、長孔に残存する化粧品が管体部により押圧されて皮膚へ吐出されて化粧品が吐出孔に残存しないように、ヘッドの吐出孔として、ノズル部の直線状管体部に対応する直線状長孔を穿設することで、前記管体部に設けられた排出口が前記長孔内にのみ位置するようにスライド移動するアンプル直結型美容機器を提供することにある。
【００１３】
また、本発明の別の目的は、前記管体部のスライド移動の際に摩擦力を低減させ、且つ吐出される化粧品がヘッドの内部へ漏れないようにするために、前記吐出孔に設けられたガイドを含むアンプル直結型美容機器を提供することにある。
【課題を解決するための手段】
【００１４】
上記目的を達成するために、本発明に係るアンプル直結型美容機器は、ポンピング手段が備えられているアンプルの交換使用が可能なアンプル直結型美容機器であって、
脱着部の内部に形成されたアンプル装着部を含む胴体と、
前記脱着部に対して脱着可能に前記アンプルのポンピング手段を覆いながら結合され、皮膚に接触する接触部、及び前記接触部を貫通して設けられた吐出孔を備えたヘッドとを含んでなり、
前記ポンピング手段のノズル部が前記吐出孔に差し込まれて直結されており、
前記ポンピング手段を作動したとき、前記ノズル部から前記ヘッドの外部へ化粧品が直ちに排出され、前記吐出孔に化粧品が残存しないことを特徴とする。
【００１５】
また、本発明に係るアンプル直結型美容機器において、
前記ヘッドは、ヘッドの内部に設けられた前記ポンピング手段の押圧部を使用者が押圧して化粧水を吐出することができるように、一側面が開口して設けられた露出部を含むことを特徴とする。
【００１６】
また、本発明に係るアンプル直結型美容機器において、
前記ノズル部は、垂直方向に所定の長さを有するように直線状に設けられた管体部を含み、
前記吐出孔は、前記管体部に対応して、垂直方向に貫通して設けられた長孔を含んでなり、
前記ポンピング手段の作動の際に、前記管体部に設けられた排出口が前記長孔内にのみ位置するようにスライド移動することを特徴とする。
【００１７】
また、本発明に係るアンプル直結型美容機器において、
前記ヘッドは、前記長孔に備えられ、前記管体部のスライド移動を案内するガイドを含むことを特徴とする。
【発明の効果】
【００１８】
本発明に係るアンプル直結型美容機器は、ポンピング手段が備えられているアンプルを交換使用しながら、マッサージ中に使用者が希望するときに化粧品を容易に吐出させて使用することができ、前記アンプルのノズル部がヘッドの吐出孔に差し込まれて直結されることにより、吐出されていない化粧品がアンプル交換によって一緒に除去されるため、美容機器に化粧品が残らず、残存化粧品の汚染または変質などによる皮膚損傷が誘発されることを防止することができる。
【００１９】
また、本発明に係るアンプル直結型美容機器は、ヘッドの洗浄が便利であり、吐出孔とポンピング手段との結合構造によって、吐出孔に残存する化粧品が自然吐出されることにより、従来の美容機器に比べてより衛生的かつ便利に使用することができ、ヘッドとアンプルのポンピング手段との結合構造が簡素化されて製作および使用が便利であるとの効果がある。
【図面の簡単な説明】
【００２０】
【図１】本発明に係るアンプル直結型美容機器の斜視図である。
【図２】図１の縦断面図である。
【図３】図２を１次分離して示す縦断面図である。
【発明を実施するための形態】
【００２１】
本発明は多様な変更を加えることができ、様々な形態を持つことができるもので、その具現例（態様、ａｓｐｅｃｔ）（または実施例）をここに詳細に説明する。しかし、これは本発明を特定の開示形態に限定しようとするものではなく、本発明の思想及び技術範囲に含まれるすべての変更、均等物または代替物を含むものと理解されなければならない。
【００２２】
各図面において、同一の参照符号、特に十の桁及び一の桁、または十の桁、一の桁及びアルファベットが同一である参照符号は同一または類似の機能を持つ部材を示し、特に言及がない場合、図面の各参照符号が指す部材はこのような基準に準ずる部材として把握すればよい。
また、各図面において、構成要素は、理解の便宜などのために、大きさや厚さを誇張して大きく（または厚く）或いは小さく（または薄く）表現しているか単純化して表現しているが、これによって本発明の保護範囲が制限されるものと解釈されてはならない。
【００２３】
本明細書で使用する用語は、特定の具現例（または実施例）を説明するために使用されたもので、本発明を限定しようとするものではない。単数の表現は、文脈上で特に明記しない限り、複数の表現を含む。
本出願において、「含む」または「からなる」などの用語は、明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００２４】
特に他に定義しない限り、技術用語や科学用語を含んで、ここで使われるすべての用語は、本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
本明細書において記載した「第１」、「第２」などは、互いに異なる構成要素を区分するためのものに過ぎず、製造された順序に拘らないものであり、発明の詳細な説明と請求の範囲においてその名称が一致しないこともある。
【００２５】
本発明に係るアンプル直結型美容機器を説明するにあたり、便宜のために、厳密ではない概略の方向基準を図１及び図２を参照して特定すれば、重力が作用する方向を下方にして見える方向そのままに上下左右を決め、接触部２１が形成された方向を正面にして前後を決め、場合によっては前方と上方、後方と下方を混用して説明し、他の図面に関連した発明の詳細な説明及び請求の範囲においても他の特別な記載がない限り、この基準に基づいて方向を特定して記述する。
【００２６】
以下、本発明に係るアンプル直結型美容機器を添付図面に基づいて説明する。
本発明は、ヘッド２０の脱着構造を用いて、ポンピング手段２が一体に備えられているアンプルＡを交換して使用することができるアンプル直結型美容機器に関するものである。
本明細書では、アンプルＡの化粧品の吐出と共に皮膚に電気刺激を発生させてマッサージが可能な美容機器を代表的に説明するが、これに限定されない。
【００２７】
図１〜図３に示すように、本発明に係るアンプル直結型美容機器は、大きく、脱着部１１、アンプル装着部１２及び電気刺激発生部１３を備えた胴体１０と、接触部２１及び吐出孔２２を備えたヘッド２０とから構成される。
前記アンプル装着部１２は、胴体１０の前端に設けられた脱着部１１の内部に延設されているもので、アンプル装着部１２にアンプルＡが装着された状態でヘッド２０を脱着部１１に結合して使用する。
【００２８】
ここで、アンプルＡは、化粧品が貯蔵される容器１と、前記容器１の首部１Ａに結合されるポンピング手段２とから構成される。
これをより具体的に説明すると、前記ポンピング手段２は、容器１の首部１Ａに結合され、容器１内の化粧品をポンピングして排出させるポンピング部３と、前記ポンピング部３の上端に結合され、ポンピング部３を作動させる押圧部４Ａ及び該押圧部４Ａの上端に連結された管体部４Ｂからなるノズル部４とを含む。
【００２９】
このようなポンピング手段２は、ポンピング部３が容器１の首部１Ａに嵌め込まれることで、ポンピング部３の周囲に沿って形成された下側フランジ３Ａの内側に突設された係止突起が、首部１Ａの係止部に係合されて容器１に結合され、
ノズル部４は、ポンピング部３の周囲に沿って形成された上側フランジ３Ｂとポンピング部３との間に差し込まれて昇降可能に結合される。これにより、ノズル部４の下降の際にノズル部がポンピング部３を加圧して容器１内の化粧品がノズル部４から排出されるようにする。
図示してはいないが、前記ポンピング部３は、容器１に貯蔵された化粧品の吸引のための管体を含むもので、押圧によって容器１内の化粧品をポンピングして外部へ排出させる公知の技術であって、詳細な説明は省略する。
【００３０】
再び図２及び図３に示すように、前記ノズル部４は、押圧部４Ａの上端一側に管体部４Ｂが垂直方向に所定の長さを持つように直線状に連結されており、押圧部４Ａの内部に設けられた排出部４ａと、管体部４Ｂの長さ方向に貫通して設けられた排出路４ｂとが連結されており、管体部４Ｂの先端部には排出口４ｃが設けられ、押圧部４Ａを使用者が押圧すると、ノズル部４が下降作動しながら下側の加圧部４ｄがポンピング部３を押圧して、容器１内の化粧品がポンピング部３に吸入され、吸入された化粧品は排出部４ａと排出路４ｂを通過して前記排出口４ｃから排出される。
その後、化粧品の排出が完了して使用者が押圧部４Ａの押圧を解除すると、ポンピング部３が原状復帰することによりノズル部４が上昇復帰する。
【００３１】
前述した構造のアンプルＡは、交換して使用する美容機器用消耗品であって、ポンピング部３とノズル部４が容器１に一緒に備えられる単一製品、または、ポンピング部３と容器１が一緒に備えられる単一製品の形で構成され、ノズル部４は別途の部品として構成される。これにより、アンプルＡの交換の際にノズル部４を分離して再利用することも可能である。
【００３２】
このようなアンプルＡは、容器１がアンプル装着部１２に挿入され、ノズル部４が胴体１０の上側外部に露出する形で胴体１０に装着される。
さらに、前記胴体１０の脱着部１１には、ロック部１１Ａが備えられ、ヘッド２０が胴体１０に対して固定または分離されるようにする。
【００３３】
胴体１０に内蔵される電気刺激発生部１３は、美容機器の作動を制御するＰＣＢ基板１４、前記ＰＣＢ基板１４の一面に結合されてバッテリーＢが収容されるバッテリー装着部、及び脱着部１１に装着されたヘッド２０に振動を発生・伝達させる振動モーターＭなどを含むものである。
【００３４】
ＩＣなどの各種素子がＰＣＢ基板１４に実装され、使用者が胴体１０を把持した状態でヘッド２０の接触部２１を皮膚に接触させると、［ヘッド２０−電気刺激発生部１３−胴体１０］が、皮膚と手を介して人間が一つの短絡要素となって閉回路を形成し、このような閉回路によって、電気刺激発生部１３から電流、すなわち陽イオン電流または陰イオン電流がヘッド２０に放出されて皮膚に電気刺激を発生させる。
【００３５】
この際、電気刺激発生部１３から放出される電流は、ボタン１６を用いた使用者のモード選択に応じて陽イオン電流または陰イオン電流に切り替えられ、これによりマッサージ及び化粧品の浸透効果またはクレンジング効果などが提供される。
この場合、閉回路形成のために、胴体１０の外側面とヘッド２０の接触部２１には、それぞれ互いに異なる電極、すなわち陽極（＋極）と陰極（−極）が印加される胴体電極と、ヘッド電極が別個に備えられるなど、従来の美容機器の閉回路形成のための様々な技術が適用できる。
【００３６】
本明細書の図面では、胴体１０とヘッド２０自体が伝導性素材で製作されるか、或いは伝導性素材（例えば、クロム）が胴体１０及びヘッド２０の表面にメッキされ、胴体１０とヘッド２０全体がそれぞれ胴体電極とヘッド電極として使用されることを代表的に示している。
もちろん、前述したように、このような電気刺激発生部１３の具体的な実現方式は、公知のもので、図面の図示とは異なる構造で電気刺激を発生させることもできる。
これにより、電気刺激発生部１３と胴体１０との電気的接続構造、及び電気刺激発生部１３とヘッド２０の接触部２１との電気的接続構造も様々な形で実現可能であり、これに関連した構成は本発明の本質的な特徴とは関連性が少ないので、詳細な説明は省略する。
【００３７】
未説明符号１７は、胴体１０の後端部に結合される後面キャップであって、バッテリー装着部１５を開閉して電池Ｂの交換に使用される。
【００３８】
本発明のヘッド２０は、前記脱着部１１に対して脱着可能に前記アンプルＡのポンピング手段２を覆いながら結合され、皮膚に接触して電気刺激を発生させる接触部２１と、前記接触部２１を貫通して設けられた吐出孔２２とを含む。
このようなヘッド２０は、美容機器の使用の際に、前記接触部２１から電気刺激が発生し、マッサージ中に使用者がアンプルＡの化粧品を前記吐出孔２２から吐出させ、マッサージと同時に化粧品を皮膚に塗布させて皮膚吸収効果を向上させることができる。
【００３９】
前記ヘッド２０は、ヘッドの内部２３Ａに設けられた前記ポンピング手段２の押圧部４Ａを使用者が希望する時期に押圧して化粧品の吐出が行われるように、一側面が開口して設けられた露出部２３を含む。
露出部２３を介して使用者が胴体１０を把持した状態で、指を露出部２３に挿入してポンピング手段２の押圧部４Ａを押圧することで化粧品の吐出が行われるので、使用が便利である。
【００４０】
この際、前記吐出孔２２は、前述した管体部４Ｂに対応して、垂直方向に貫通して設けられた長孔２２ａを含んでなる。これにより、前記露出部２３を介して押圧部４Ａを押圧したとき、前記管体部４Ｂの排出口４ｃが前記長孔２２ａ内にのみ位置するようにスライド移動する。
すなわち、押圧部４Ａを押圧していない状態では排出口４ｃが長孔２２ａの上端（すなわち、吐出孔）部位に位置し、押圧部４Ａを押圧した状態では排出口４ｃが長孔２２ａの下端部位に下降移動する。
【００４１】
したがって、押圧部４Ａによって排出口４ｃが長孔２２ａの下部領域に位置した状態で化粧品が吐出孔２２から吐出され、押圧部４Ａの押圧を解除すると、押圧部４Ａの上昇により排出口４ｃが長孔２２ａの上部領域に上昇復帰するにつれて、管体部４Ｂの先端部が、吐出孔２２に残存する化粧品を外部へ押して吐出させることにより、ヘッド２０に化粧品が残存することを防止することができる。
【００４２】
また、前記ヘッド２０は、前記長孔２２ａに備えられて前記管体部４Ｂのスライド移動を案内するようにするガイド２２Ａを含む。
前記ガイド２２Ａは、管体部４Ｂとの摩擦力を減少または解消することが可能な潤滑性素材（例えば、アセタール樹脂（ａｃｅｔａｌ  ｒｅｓｉｎ））からなるパイプ形状の部材であって、管体部４Ｂの円滑なスライド移動を案内するとともに、長孔２２ａと管体部４Ｂとの間の水密性を確保する。
【００４３】
前述したような構造のアンプル直結型美容機器は、使用後にヘッド２０を分離して消耗品であるアンプルＡを除去すると、排出されていない化粧品が一緒に除去されて化粧品が美容機器に残存しないため残存化粧品の汚染または変質が発生せず、化粧品の吐出のためのモーターなどを含む別途の作動手段が不要であって製作及び使用が便利であり、吐出孔２２（長孔２２ａを含む）に化粧品が残存しないばかりでなく、ヘッド２０及び押圧部４Ａの洗浄が容易であるため、洗浄されなくて汚染または変質した化粧品の塗布による皮膚損傷を防止することができるという効果がある。
【００４４】
以上、本発明を説明するにあたり、添付図面を参照して、特定の形状と構造を有するアンプル直結型美容機器を中心に説明したが、本発明は、当業者によって様々な修正、変更および置換が可能であり、それらの修正、変更および置換も本発明の保護範囲に属するものと解釈されるべきである。
【符号の説明】
【００４５】
Ａ    アンプル
１    容器
１Ａ    首部
１ａ    係止部
２    ポンピング手段
３    ポンピング部
３Ａ、３Ｂ    フランジ
３ａ    係止突起
４    ノズル部
４Ａ    押圧部
４Ｂ    管体部
４ａ    排出部
４ｂ    排出路
４ｃ    排出口
４ｄ    押圧部
１０    胴体
１１    脱着部
１１Ａ    ロック部
１２    アンプル装着部
１３    電気刺激発生部
１４    ＰＣＢ基板
１５    バッテリー装着部
１６    ボタン
１７    後面キャップ
Ｂ    バッテリー
Ｍ    振動モーター
２０    ヘッド
２１    接触部
２２    吐出孔
２２Ａ    ガイド
２２ａ    長孔
２３    露出部
２３Ａ    ヘッドの内部
【図１】
0006346652.tif 000002
【図２】
0006346652.tif 000003
【図３】
0006346652.tif 000004